(57)【要約】【課題】ディスプレイの文字の視認性を向上させることができる照明装置を提供する。【解決手段】照明装置１００は、ディスプレイ用照明光として第１照明光を照射する発光部１１０を備え、第１照明光の光色は、相関色温度が４０００Ｋ以上５８００Ｋ以下の範囲で、ＸＹＺ表色系のｕ’ｖ’色度座標において０．７１２５ｕ’＋０．３２８４＜ｖ’＜０．７１２５ｕ’＋０．３３３９の範囲にある。【選択図】図９
2019029109.tif 000002
【特許請求の範囲】
【請求項１】
ディスプレイ用照明光として第１照明光を照射する発光部を備え、
前記第１照明光の光色は、相関色温度が４０００Ｋ以上５８００Ｋ以下の範囲で、ＸＹＺ表色系のｕ’ｖ’色度座標において０．７１２５ｕ’＋０．３２８４＜ｖ’＜０．７１２５ｕ’＋０．３３３９の範囲にある、
照明装置。
【請求項２】
前記発光部は、
相関色温度が５０００Ｋ以上７２００Ｋ以下の白色光を発する白色ＬＥＤ光源と、
相関色温度が２７００Ｋ以上３８００Ｋ以下の白色光を発する白色ＬＥＤ光源とを有する、
請求項１に記載の照明装置。
【請求項３】
前記発光部は、
相関色温度が５０００Ｋ以上７２００Ｋ以下の白色光を発する白色ＬＥＤ光源と、
主たるピーク波長が６００ｎｍ以上６５０ｎｍ以下の範囲にある赤色光を発する赤色ＬＥＤ光源とを有する、
請求項１に記載の照明装置。
【請求項４】
前記発光部は、
相関色温度が５０００Ｋ以上７２００Ｋ以下の白色光を発する白色ＬＥＤ光源と、
相関色温度が２７００Ｋ以上３８００Ｋ以下の白色光を発する白色ＬＥＤ光源と、
主たるピーク波長が６００ｎｍ以上６５０ｎｍ以下の範囲にある赤色光を発する赤色ＬＥＤ光源とを有する、
請求項１に記載の照明装置。
【請求項５】
前記発光部は、
相関色温度が５０００Ｋ以上７２００Ｋ以下の白色光を発する白色ＬＥＤ光源と、
主たるピーク波長が６００ｎｍ以上６４０ｎｍ以下の範囲にある赤色光を発する赤色ＬＥＤ光源と、
主たるピーク波長が４８０ｎｍ以上５００ｎｍ以下の範囲にある緑色光を発する緑色ＬＥＤ光源とを有する、
請求項１に記載の照明装置。
【請求項６】
前記赤色ＬＥＤ光源と前記緑色ＬＥＤ光源とが近接して配置されている、
請求項５に記載の照明装置。
【請求項７】
前記発光部は、さらに、紙面用照明光として第２照明光を照射し、
前記第２照明光の光特性は、相関色温度が５４００Ｋ以上７０００Ｋ以下の範囲で、色偏差Ｄｕｖが−６以上８以下の範囲で、Ｔｈｅ  ＣＩＥ  １９９７  Ｉｎｔｅｒｉｍ  Ｃｏｌｏｒ  Ａｐｐｅａｒａｎｃｅ  Ｍｏｄｅｌ  （Ｓｉｍｐｌｅ  Ｖｅｒｓｉｏｎ）で規定される算出方法を用いて求められたクロマ値が２．０以下である、
請求項１〜６のいずれか１項に記載の照明装置。
【請求項８】
前記照明装置は、外光が入射する所定空間内に設置され、
前記照明装置は、前記発光部を制御する制御部を備え、
前記制御部は、
午前中の所定時刻から午後３時付近までの第１の時間帯では、前記第１照明光の光色が４０００Ｋ以上５０００Ｋの範囲で一定の相関色温度となるように前記発光部を制御し、
午後３時付近から日没までの第２の時間帯では、前記第１照明光の光色が５０００Ｋ以上５８００Ｋ以下の範囲で相関色温度が時間の経過に伴って上昇するように前記発光部を制御し、
日没から午後の所定時刻までの第３の時間帯では、前記第１照明光の光色が４０００Ｋ以上５０００Ｋ以下の範囲で一定の光色となるように前記発光部を制御する、
請求項１〜７のいずれか１項に記載の照明装置。 
【請求項９】
前記所定空間における前記第１照明光の水平面照度は、１０００ｌｘ以下である、
請求項８に記載の照明装置。
【請求項１０】
外光が入射する前記所定空間の光色を検知する光色検知部を備え、
前記制御部は、前記光色検知部が検知した前記所定空間の光色に基づいて、前記第１照明光が所定の調光制御スケジュール情報に従った光色となるように前記発光部を制御する、
請求項８又は９に記載の照明装置。
【請求項１１】
請求項１〜１０のいずれか１項に記載の照明装置を複数備える照明制御システムであって、
複数の前記照明装置の各々は、前記所定空間の照度を検知する照度検知部を備え、
第１の前記照明装置の前記制御部は、第１の前記照明装置の前記照度検知部が検知した前記所定空間の照度と第２の前記照明装置の前記照度検知部が検知した前記所定空間の照度とが一致するように、第１の前記照明装置の前記発光部から照射される前記第１照明光の出力を変更する、
照明制御システム。
【発明の詳細な説明】
【技術分野】
【０００１】
本発明は、照明装置及び照明制御システムに関し、特に、ディスプレイの文字の視認性を向上させることができる照明装置及びこの制御装置を複数備える照明制御システムに関する。
【背景技術】
【０００２】
ユーザが作業を行う際の環境光については様々な検討がなされている。例えば、机上の書類等の文字を見る視作業時には、紙面の文字の視認性を良くするために照明装置が用いられる。
【０００３】
そこで、従来より、紙面の文字の視認性を高めることができる照明装置の検討がなされている。例えば、特許文献１には、紙面の白さ感を高めて紙面の文字を読みやすくする照明光を照射する照明装置が開示されている。
【先行技術文献】
【特許文献】
【０００４】
【特許文献１】特開２０１４−０７５１８６号公報
【特許文献２】特開２００６−３４９８３５号公報
【発明の概要】
【発明が解決しようとする課題】
【０００５】
近年、オフィス等での視作業の大半が液晶モニタ等のディスプレイを用いたＶＤＴ（Ｖｉｓｕａｌ  Ｄｉｓｐｌａｙ  Ｔｅｒｍｉｎａｌ）作業となっている。そのため、ＶＤＴ作業時では、文字の視認性を向上させて文字の読みやすさ感を良くする環境が求められており、照明装置による環境光だけではなく、様々な視点から研究が行われている。例えば、ディスプレイの表示に着目したものとして、特許文献２には、測色値から基準測色値と一致するようカラーモニタの色調整を行う方法が提案されている。
【０００６】
しかしながら、これまでは、主にディスプレイの表示機能による画面の文字の見え方の検討が行われているだけであり、照明環境（環境光）とディスプレイとの文字の視認性を高めるための関係は明らかにされていない。
【０００７】
また、ディスプレイでは、使用者に好適と思われる表示設定を行うことができるものの、使用者は、どのような表示設定が好適であるのかが分からないため、購入時の初期の表示設定のまま使用していることが多い。
【０００８】
このため、従来の照明装置では、ディスプレイに対する最適な照明光を照射しているとはいえず、ディスプレイの文字の視認性をよくする環境光を実現できてない。
【０００９】
本発明は、このような課題を解決するためになされたものであり、ディスプレイの文字の視認性を向上させることができる照明装置及び照明制御システムを提供することを目的とする。
【課題を解決するための手段】
【００１０】
上記目的を達成するために、本発明に係る照明装置の一態様は、ディスプレイ用照明光として第１照明光を照射する発光部を備え、前記第１照明光の光色は、相関色温度が４０００Ｋ以上５８００Ｋ以下の範囲で、ＸＹＺ表色系のｕ’ｖ’色度座標において０．７１２５ｕ’＋０．３２８４＜ｖ’＜０．７１２５ｕ’＋０．３３３９の範囲にある。
【００１１】
また、本発明に係る照明制御システムの一態様は、上記の照明装置を複数備える照明制御システムであって、複数の前記照明装置の各々は、前記所定空間の照度を検知する照度検知部を備え、第１の前記照明装置の前記制御部は、第１の前記照明装置の前記照度検知部が検知した前記所定空間の照度と第２の前記照明装置の前記照度検知部が検知した前記所定空間の照度とが一致するように、第１の前記照明装置の前記発光部から照射される前記第１照明光の出力を変更する。
【発明の効果】
【００１２】
ディスプレイの文字の視認性を向上させることができる。
【図面の簡単な説明】
【００１３】
【図１】実施の形態１に係る照明制御システムの機能構成を示す図である。
【図２】実施の形態１に係る照明装置の斜視図である。
【図３】実施の形態１に係る照明装置の分解斜視図である。
【図４】実施の形態１に係る照明装置における光源ユニットの断面斜視図である。
【図５】実施の形態に係る照明装置における光源ユニットを発光部側から見たときの斜視図である。
【図６】実施の形態に係る照明装置における発光部及びＬＥＤ素子の分光分布を示す図である。
【図７】空間カットオフ周波数によるディスプレイの文字の視認性の評価を示す図である。
【図８】ディスプレイの文字の視認性がよい光の相関色温度を示す図である。
【図９】ディスプレイの文字の視認性が高い光色の領域を示す図である。
【図１０】実施の形態２に係る照明制御システムの機能構成を示す図である。
【図１１】実施の形態２に係る照明制御システムにおける調色制御スケジュール情報の一例を示す図である。
【図１２】実施の形態２の変形例１に係る照明制御システムの機能構成を示す図である。
【図１３】実施の形態２の変形例２に係る照明制御システムの機能構成を示す図である。
【図１４】変形例１に係る照明装置における発光部及びＬＥＤ素子の分光分布を示す図である。
【図１５】変形例２に係る照明装置の発光部の構成を示す図である。
【図１６】変形例２に係る照明装置における発光部及びＬＥＤ素子の分光分布を示す図である。
【図１７】変形例３に係る照明装置の発光部の構成を示す図である。
【図１８】変形例３に係る照明装置における発光部及びＬＥＤ素子の分光分布を示す図である。
【発明を実施するための形態】
【００１４】
以下、本発明の実施の形態について説明する。なお、以下に説明する実施の形態は、いずれも本発明の好ましい一具体例を示すものである。したがって、以下の実施の形態で示される、数値、構成要素、構成要素の配置位置及び接続形態、並びに、ステップ及びステップの順序等は、一例であって本発明を限定する主旨ではない。よって、以下の実施の形態における構成要素のうち、本発明の最上位概念を示す独立請求項に記載されていない構成要素については、任意の構成要素として説明される。
【００１５】
また、各図は、模式図であり、必ずしも厳密に図示されたものではない。なお、各図において、実質的に同一の構成に対しては同一の符号を付しており、重複する説明は省略又は簡略化する。
【００１６】
また、本明細書及び図面において、Ｘ軸、Ｙ軸及びＺ軸は、三次元直交座標系の三軸を表しており、本実施の形態では、Ｚ軸方向を鉛直方向とし、Ｚ軸に垂直な方向（ＸＹ平面に平行な方向）を水平方向としている。Ｘ軸及びＹ軸は、互いに直交し、且つ、いずれもＺ軸に直交する軸である。
【００１７】
（実施の形態１）
まず、実施の形態１に係る照明制御システム１の機能構成について、図１を用いて説明する。図１は、実施の形態１に係る照明制御システム１の機能構成を示す図である。
【００１８】
図１に示すように、照明制御システム１は、１つ以上の照明装置１００と、照明装置１００を制御する操作部２００とを備える。本実施の形態において、照明装置１００は、複数であり、操作部２００は、複数の照明装置１００を制御することができる。
【００１９】
照明装置１００は、例えば、オフィス又は住宅等の所定空間内（部屋等）に設置される。本実施の形態において、照明装置１００は、視作業を行うユーザが利用するディスプレイが置かれた部屋の環境照明として設置されている。ディスプレイは、例えば机の上に設置される。この場合、照明装置１００の照明光による水平面照度は、１０００ｌｘ以下であるとよい。
【００２０】
各照明装置１００は、発光部１１０と、発光部１１０を制御する制御部１２０とを備える。
【００２１】
発光部１１０は、照明装置１００の光源部であって、照明光を照射する。発光部１１０は、調色制御可能及び／又は調光制御可能に構成されている。
【００２２】
制御部１２０は、例えば、発光部１１０を調光制御及び／又は調色制御するための制御回路を有しており、発光部１１０から照射される照明光の光特性を制御する。例えば、制御部１２０は、発光部１１０を調色制御することにより発光部１１０から照射される照明光の光色を制御したり、発光部１１０を調光制御することにより発光部１１０から照射される照明光の照度を制御したりする。本実施の形態において、制御部１２０は、発光部１１０がディスプレイの文字の視認性を向上させるための照明光を照射するように発光部１１０を制御する。
【００２３】
操作部２００は、複数の照明装置１００を制御するための操作画面及び／又は操作ボタンを有する操作装置である。例えば、操作部２００は、ユーザの操作を受け付ける入力画面として表示画面を有するタッチパネルを備える。
【００２４】
操作部２００は、通信線３００を介して複数の照明装置１００と接続されている。なお、操作部２００は、有線通信ではなく、無線通信によって複数の照明装置１００と通信可能に構成されていてもよい。また、操作部２００は、各照明装置１００を個別に制御できるように構成されていてもよいし、複数の照明装置１００に対して同時に同じ制御ができるように構成されていてもよい。
【００２５】
ユーザが操作部２００を操作することで、照明装置１００を調光制御したり調色制御したりできる。例えば、ユーザが照明装置１００の照明光の光色を調整したい場合、ユーザは照明光が所望の光色となるように操作部２００を操作する。これにより、通信線３００を介して操作部２００から照明装置１００の制御部１２０に調色信号が送信され、発光部１１０から照射される照明光の光色が変化する。また、ユーザが照明装置１００の照明光の明るさを調整したい場合、ユーザは照明光が所望の明るさとなるように操作部２００を操作する。これにより、通信線３００を介して操作部２００から照明装置１００の制御部１２０に調光信号が送信され、発光部１１０から照射される照明光の明るさが変化する。つまり、照明装置１００の照明光による照度が変化する。
【００２６】
操作部２００は、例えば、スマートフォン又はタブレットＰＣ等のポータブルタイプの操作端末であってもよいし、部屋の壁等に取り付けられたコントローラ等の操作機器であってもよい。
【００２７】
次に、照明制御システム１に用いられる照明装置１００の具体的な構成について、図２及び図３を用いて説明する。図２は、実施の形態１に係る照明装置１００の斜視図である。図３は、同照明装置１００の分解斜視図である。
【００２８】
照明装置１００は、天井又は壁等の造営材に取り付けられる照明器具である。本実施の形態において、照明装置１００は、例えば長尺状のシーリングライトであり、照明光として白色光を照射する。
【００２９】
図２及び図３に示すように、照明装置１００は、光源ユニット１０１と、器具本体１０２とを備える。図１に示される発光部１１０は、光源ユニット１０１として構成されている。また、制御部１２０は、照明装置１００に内蔵されている。
【００３０】
光源ユニット１０１は、電源装置から供給される電力によって白色光を発する。電源装置は、照明装置１００に内蔵されていてもよいし、照明装置１００の外部に配置されていてもよい。図３に示すように、光源ユニット１０１は、器具本体１０２の開口部１０２ａに固定されている。
【００３１】
器具本体１０２は、光源ユニット１０１を保持する保持部材であり、例えば吊りボルト等によって天井に固定される。器具本体１０２は、例えば板金製であり、金属板に曲げ加工等を施すことにより、長尺且つ扁平な箱形状に形成されている。器具本体１０２の下面には、長尺状で矩形状の開口部１０２ａが設けられている。
【００３２】
本実施の形態において、照明装置１００は、発光態様として、光源ユニット１０１から第１照明光が照射されるディスプレイ用照明モード（第１モード）と、光源ユニット１０１から第２照明光が照射される紙面用照明モード（第２モード）とを有する。ディスプレイ用照明モードと紙面用照明モードとを切り替えることにより、照明装置１００の発光態様を切り替えることができる。
【００３３】
次に、光源ユニット１０１の詳細な構成について、図４及び図５を用いて説明する。図４は、実施の形態１に係る照明装置１００における光源ユニット１０１の断面斜視図であり、図３のIV−IV線における断面を示している。図５は、同光源ユニット１０１を発光部１１０側から見たときの斜視図である。
【００３４】
図４に示すように、光源ユニット１０１は、発光部１１０と、発光部１１０を支持する基台１３０と、発光部１１０を覆う透光カバー１４０とを備える。
【００３５】
発光部１１０は、固体発光素子を有する光源である。具体的には、発光部１１０は、固体発光素子としてＬＥＤ（Ｌｉｇｈｔ  Ｅｍｉｔｔｉｎｇ  Ｄｉｏｄｅ）を有するＬＥＤモジュールであり、照明光として白色光を発する。発光部１１０は、基台１３０に取り付けられる。
【００３６】
図４及び図５に示すように、発光部１１０は、基板１１１と、基板１１１に配置されたＬＥＤ素子１１２とを有する。本実施の形態における発光部１１０は、表面実装（ＳＭＤ：Ｓｕｒｆａｃｅ  Ｍｏｕｎｔ  Ｄｅｖｉｃｅ）タイプの発光モジュールであり、基板１１１にはＬＥＤ素子１１２が実装されている。
【００３７】
基板１１１は、ＬＥＤ素子１１２を実装するための実装基板である。基板１１１は、例えば、長尺矩形状の基板であり、例えば、樹脂基板、メタルベース基板又はセラミック基板等である。基板１１１は、基台１３０に載置されて基台１３０に固定される。
【００３８】
基板１１１には、例えば複数のＬＥＤ素子１１２が基板１１１の長手方向に沿って直線状に所定の間隔で実装されている。
【００３９】
本実施の形態において、各ＬＥＤ素子１１２は、ＳＭＤタイプの発光素子であり、樹脂製等の容器（パッケージ）と、容器内に配置されたＬＥＤチップ（ベアチップ）と、ＬＥＤチップを封止する封止部材とを備える。
【００４０】
各ＬＥＤ素子１１２は、白色光を発する白色ＬＥＤ光源であり、例えば、ＬＥＤチップとしては、通電されると青色光を発する青色ＬＥＤチップが用いられ、容器に充填される封止部材としては、黄色蛍光体及び赤色蛍光体を含むシリコーン樹脂（蛍光体含有樹脂）が用いられる。
【００４１】
図５に示すように、複数のＬＥＤ素子１１２は、第１ＬＥＤ素子１１２ａと、第１ＬＥＤ素子１１２ａよりも色温度が低い第２ＬＥＤ素子１１２ｂとによって構成されている。本実施の形態において、第１ＬＥＤ素子１１２ａ及び第２ＬＥＤ素子１１２ｂは１つずつ交互に配置されているが、第１ＬＥＤ素子１１２ａ及び第２ＬＥＤ素子１１２ｂの並び順及び個数は、これに限るものではない。
【００４２】
第１ＬＥＤ素子１１２ａは、相関色温度が５０００Ｋ以上７２００Ｋ以下の白色光を発する白色ＬＥＤ光源である。また、第２ＬＥＤ素子１１２ｂは、相関色温度が２７００Ｋ以上３８００Ｋ以下の白色光を発する白色ＬＥＤ光源である。
【００４３】
本実施の形態において、第１ＬＥＤ素子１１２ａは、相関色温度が６５００Ｋであり、図６に示される分光分布ａの光を発する。また、第２ＬＥＤ素子１１２ｂは、相関色温度が２７００Ｋであり、図６で示される分光分布ｂの光を発する。この場合、第１ＬＥＤ素子１１２ａと第２ＬＥＤ素子１１２ｂとが発光すると、発光部１１０は、相関色温度が５０００Ｋを実現することができ、図６に示される分光分布ｍｉｘの光を発する。
【００４４】
また、発光部１１０は、調色制御可能に構成されており、色温度を変更することができる。例えば、第１ＬＥＤ素子１１２ａ及び第２ＬＥＤ素子１１２ｂの各々を調光することで、発光部１１０を、２７００Ｋ以上６５００Ｋ以下の範囲内の相関色温度で調色することができる。なお、第１ＬＥＤ素子１１２ａの相関色温度を７２００Ｋにすることで、発光部１１０を２７００Ｋ以上７２００Ｋ以下の範囲内の相関色温度で調色することができる。
【００４５】
発光部１１０は、ディスプレイ用照明光として第１照明光を照射する。この第１照明光の光色は、相関色温度が４０００Ｋ以上５８００Ｋ以下の範囲で、ＸＹＺ表色系のｕ’ｖ’色度座標において０．７１２５ｕ’＋０．３２８４＜ｖ’＜０．７１２５ｕ’＋０．３３３９の範囲にある。
【００４６】
また、発光部１１０は、紙面文字見え又は紙面読み書きに適した紙面用照明光として第２照明光を照射する。この第２照明光の光特性は、相関色温度が５４００Ｋ以上７０００Ｋ以下の範囲で、色偏差Ｄｕｖが−６以上８以下の範囲で、Ｔｈｅ  ＣＩＥ  １９９７  Ｉｎｔｅｒｉｍ  Ｃｏｌｏｒ  Ａｐｐｅａｒａｎｃｅ  Ｍｏｄｅｌ  （Ｓｉｍｐｌｅ  Ｖｅｒｓｉｏｎ）で規定される算出方法を用いて求められたクロマ値が２．０以下である。
【００４７】
このように構成される発光部１１０は、基台１３０に取り付けられる。具体的には、発光部１１０の基板１１１が基台１３０に固定される。基台１３０は、金属製の長尺状の筐体であり、例えばＳＰＣＣ（Ｓｔｅｅｌ  Ｐｌａｔｅ  Ｃｏｌｄ  Ｃｏｍｍｅｒｃｉａｌ；冷間圧延鋼板）等からなる金属板に曲げ加工等を施すことにより形成することができる。
【００４８】
図４に示すように、基台１３０に取り付けられた発光部１１０は、透光カバー１４０によって覆われる。透光カバー１４０は、発光部１１０（ＬＥＤ素子１１２）からの光を透過する透光性のカバー部材である。透光カバー１４０は、例えば長尺状をなす略半円筒形状である。
【００４９】
透光カバー１４０は、例えばアクリルやポリカーボネート等の透光性樹脂材料又はガラス材料等の透光性を有する材料で構成されている。
【００５０】
透光カバー１４０は、さらに、光拡散性（光散乱性）を有していてもよい。つまり、透光カバー１４０は、透明カバーではなく、透光性及び光拡散性を有する拡散カバーであってもよい。透光カバー１４０に光拡散性を持たせることで、指向性の強いＬＥＤ素子１１２の光を散乱させることができるので、複数のＬＥＤ素子１１２の発光の明暗差によるつぶつぶ感（輝度むら）を抑制できる。
【００５１】
ここで、照明装置１００が照射する照明光の光特性の特徴について、本発明に至った経緯も含めて、以下詳細に説明する。
【００５２】
これまで、紙面の白さ感を高めて紙面の文字を読みやすくする環境光の検討がなされてきたが、ディスプレイの文字に対する最適な環境光の推奨がなされておらず、従来の照明装置では、ディスプレイの文字を読みやすくする環境光を得ることが難しい。
【００５３】
また、ディスプレイには、ユーザが手動で画面の明るさやコントラストを調整できる機能が存在するものの、ユーザは、環境光に対してどのような条件が好適であるのかが分からないため、ディスプレイの表示設定（画面設定）は初期状態のままであることが多い。
【００５４】
そこで、本願発明者は、ディスプレイの画面に表示される文字の視認性を向上させて文字の読みやすさ感を良くすることができる照明光を照射する照明装置を検討した。
【００５５】
具体的には、本願発明者は、ディスプレイの環境光となる照明装置の照明光の光色を変化させて、各光色の照明下でディスプレイに表示された文字の視認性を評価する実験を行った。図７は、その実験結果を示している。
【００５６】
本実験では、空間カットオフ周波数を用いて、ディスプレイに表示された文字の視認性を評価した。図７では、２５条件の各光色の照明下での文字の視認性の評価を、ｕ’ｖ’色度図における平均カットオフ周波数（ｃｄｐ）の等高線図で示している。
【００５７】
具体的には、相関色温度が５水準（４２００Ｋ，４６００Ｋ，５０００Ｋ，５５００Ｋ，６２００Ｋ）で、色偏差（Ｄｕｖ）が５水準（２，０，−２，−４，−６）の合計２５条件の光色に対して評価を行った。
【００５８】
そして、本実験では、２５条件の各光色による照明光の下、ディスプレイに表示された文章にローパスフィルタ処理を行うことでカットオフ周波数を変化させ、ディスプレイに表示された文字の解像度を変化させた。このとき、どのカットオフ周波数までの文字がくっきり見えるかについて、被験者１５名（２５歳〜５４歳）に回答させた。
【００５９】
この２５条件の各光色について、ディスプレイの文字がくっきり見えたときのカットオフ周波数の１５名の平均値を、ＸＹＺ表色系のｕ’ｖ’色度図上にプロットすることで、図７を得た。
【００６０】
なお、本実験で用いたディスプレイは、画面アスペクト比１６：９で、画面輝度が１８０ｃｄ／ｍ２の２３インチの液晶ディスプレイである。また、本実験において、各光色条件における照明光の机上面照度（ディスプレイが設置された机の水平面照度）は、７５０ｌｘである。
【００６１】
ここで、カットオフ周波数と文字の視認性との関係については、カットオフ周波数が小さい光色の方が、解像度が低い文字でもくっきり見えるということである。つまり、カットオフ周波数が小さい方が、文字の視認性が高い光色となる。
【００６２】
したがって、本実験によれば、図７に示すように、相関色温度が４６００ＫでＤｕｖが−４の色度点付近の光色の照明光が最もディスプレイの文字の視認性が高いことが分かった。
【００６３】
また、図７に示すように、相関色温度だけではなく、Ｄｕｖについてもディスプレイの文字の視認性に関与していることが分かる。具体的には、相関色温度ごとに文字の視認性の最適なＤｕｖが変化していることが分かる。
【００６４】
この点について、本実験によれば、相関色温度が６２００Ｋの場合を除いて、相関色温度が４２００ＫではＤｕｖが−６、相関色温度が４６００ＫではＤｕｖが−４、相関色温度が５０００ＫではＤｕｖが−２、相関色温度が５５００ＫではＤｕｖが０の場合が、文字の視認性に対して最適なＤｕｖとなる光色であることが分かる。つまり、文字の視認性に対して最適なＤｕｖは、相関色温度が上昇するにつれて上昇することが分かる。
【００６５】
そこで、各相関色温度の最適なＤｕｖにおける、各被験者の全光色条件の平均カットオフ周波数からの差分値を評価レベルとし、この関係を図８に示す。つまり、図８では、６２００Ｋを除く４水準の相関色温度（４２００Ｋ，４６００Ｋ，５０００Ｋ，５５００Ｋ）について、各相関色温度の最適なＤｕｖにおけるカットオフ周波数から全光色条件の平均カットオフ周波数を引いた値についての全被験者の平均値を、評価レベルとして示している。
【００６６】
この場合、図８において、評価レベルが０未満の相関色温度は、他の光色条件よりもディスプレイの文字の視認性が高いということになる。なお、図８では、相関色温度の単位を「Ｋ（ケルビン）」ではなく、「ｍｉｒｅｄ（ミレッド）」で示している。
【００６７】
図８において、上記４水準の相関色温度の評価レベルをもとに曲線近似し、評価レベルが０との交点を算出すると、１７２ミレッドと２５０ミレッドとなる。したがって、図８に示す結果から、ディスプレイの文字の視認性は、相関色温度が１７２ミレッド以上２５０ミレッド以下の範囲（つまり、およそ４０００Ｋから５８００Ｋの範囲）で高まることが分かる。
【００６８】
以上の分析をまとめると、ディスプレイの文字の視認性が高い光色は、図９において、直線Ｘ２、直線Ｘ３、直線Ｙ１、直線Ｙ２で囲まれる領域（ディスプレイ文字の高視認性範囲）となる。図９は、図７において、ディスプレイの文字の視認性が高い光色の領域を示す図である。
【００６９】
ここで、図９において、直線Ｘ１は、ＸＹＺ表色系のｕ’ｖ’色度座標における各相関色温度の文字の視認性の最適なＤｕｖの点をつないだ近似直線を示しており、以下の（式１）で表すことができる。
【００７０】
直線Ｘ１：ｖ’＝０．７１２５ｕ’＋０．３３０５・・・（式１）
【００７１】
また、直線Ｘ２、Ｘ３は、いずれも直線Ｘ１を平行移動させた平行線であり、全光色条件の平均値であるカットオフ周波数ｆｃが１３．５０未満の範囲（ｆｃ＜１３．５０）と接する２つの直線である。つまり、直線Ｘ２、Ｘ３は、今回の実験において評価したカットオフ周波数の中間値（平均値）を示す境界線である。この場合、直線Ｘ２は、以下の（式２）で表すことができ、また、直線Ｘ３は、以下の（式３）で表すことができる。
【００７２】
直線Ｘ２：ｖ’＝０．７１２５ｕ’＋０．３２８４・・・（式２）
直線Ｘ３：ｖ’＝０．７１２５ｕ’＋０．３３３９・・・（式３）
【００７３】
また、図９において、直線Ｙ１、Ｙ２は、図８における文字の視認性が高い相関色温度の下限値（４０００Ｋ）と上限値（５８００Ｋ）とを示している。
【００７４】
以上の検討から、相関色温度が４０００Ｋ以上５８００Ｋ以下の範囲で、かつ、ＸＹＺ表色系のｕ’ｖ’色度座標において、０．７１２５ｕ’＋０．３２８４＜ｖ’＜０．７１２５ｕ’＋０．３３３９の範囲の光色の照明光がディスプレイの文字の視認性が高いことが分かる。本実施の形態における照明装置１００では、ディスプレイ用照明モードのときにディスプレイ照明光として第１照明光を発光部１１０から照射させている。
【００７５】
つまり、図１における照明装置１００において、相関色温度が４０００Ｋ以上５８００Ｋ以下の範囲で、ＸＹＺ表色系のｕ’ｖ’色度座標において０．７１２５ｕ’＋０．３２８４＜ｖ’＜０．７１２５ｕ’＋０．３３３９の範囲にある光色の第１照明光をディスプレイ用照明光として発光部１１０から照射させることで、ディスプレイの文字の視認性を向上させることができる。特に、ディスプレイの表示設定が初期状態のままであっても、ディスプレイの文字の視認性を容易に向上させることができる。
【００７６】
これにより、ディスプレイの文字の読みやすさ感が向上し、視作業する際に違和感のない快適な照明空間を実現することができる。
【００７７】
また、本実施の形態では、紙面用照明モードのときに、発光部１１０は、紙面用照明光として第２照明光を照射する。第２照明光の光特性は、相関色温度が５４００Ｋ以上７０００Ｋ以下の範囲で、色偏差Ｄｕｖが−６以上８以下の範囲で、Ｔｈｅ  ＣＩＥ  １９９７  Ｉｎｔｅｒｉｍ  Ｃｏｌｏｒ  Ａｐｐｅａｒａｎｃｅ  Ｍｏｄｅｌ  （Ｓｉｍｐｌｅ  Ｖｅｒｓｉｏｎ）で規定される算出方法を用いて求められたクロマ値が２．０以下である。
【００７８】
これにより、ディスプレイの文字を見る必要がないような場合には、照明装置１００を紙面用照明モードに切り替えることで、照明装置１００からは、上記第１照明光よりも紙面の文字を読むのに適した照明光（第２照明光）が照射する。
【００７９】
なお、本実施の形態において、照明装置１００による照明光の机上面照度（水平面照度）は、１０００ｌｘ以下であるとよい。机上面照度が１０００ｌｘを超えると、明るくなりすぎとなって、ディスプレイの文字が白とびするおそれがある。
【００８０】
（実施の形態２）
上記実施の形態１では、ディスプレイの文字の視認性の向上に適した照明光の光色範囲について説明したが、本願発明者は、ディスプレイの文字の視認性が自然光等の外光の影響を受けることにも着目し、ディスプレイに照明光だけではなく外光が当たる場合についてもディスプレイの文字の視認性を向上させることができる技術を見出した。
【００８１】
例えば、部屋に設置されたディスプレイを考えると、ディスプレイには、窓等から入ってくる太陽光等の自然光が当たる。このとき、太陽光等の自然光は、時間帯によって色温度が変化するため、自然光が当たるディスプレイの光色は、照明装置による環境光（照明光）だけではなく、自然光によっても変化する。この結果、自然光の影響により時間帯によってディスプレイの文字の見え方が変わってしまう。
【００８２】
そこで、本願発明者が鋭意検討した結果、時間帯の違いによる自然光の色温度の変化に対応させて、自然光の色温度の変化の方向とは逆方向で照明光を変化させてディスプレイに照射させることにより、時間帯に依らずディスプレイの表示設定が初期状態で文字の視認性を高めることができる技術を見出した。
【００８３】
以下、この技術について、図１０を用いて、実施の形態２として説明する。図１０は、実施の形態２に係る照明制御システム１Ａの機能構成を示す図である。
【００８４】
本実施の形態における照明制御システム１Ａは、上記実施の形態１における照明制御システム１に対して、照明装置１００Ａの構成が異なる。すなわち、本実施の形態における照明装置１００Ａは、時刻に応じて照明光の調色制御を行うための調色制御スケジュール情報が記憶された記憶部１５０を有する点と、制御部１２０が調色制御スケジュール情報にしたがって発光部１１０を制御する点とで、上記実施の形態１における照明装置１００と異なる。
【００８５】
記憶部１５０に記憶された調色制御スケジュール情報は、ディスプレイ用照明モード時において、所定の時刻ごとに発光部１１０が照射する照明光（第１照明光）の相関色温度を示すデータである。一例として、調色制御スケジュール情報は、図１１に示されるデータである。なお、図１１では、一例として、午前８時から午後８時までの１２時間についての各時刻と相関色温度との関係を示している。また、図１１では、３０分毎に相関色温度が設定されているが、これに限らず、相関色温度は、１分毎、１０分毎等に設定されていてもよいし、１時間毎に設定されていてもよい。
【００８６】
このような調色制御スケジュール情報は、操作部２００によって作成することができる。例えば、ユーザが操作部２００を操作することによって、調色制御スケジュール情報を作成することができる。作成された調色制御スケジュール情報は、操作部２００によって照明装置１００Ａの制御部１２０に送信される。
【００８７】
制御部１２０は、受信したスケジュール情報を記憶部１５０に格納する。また、制御部１２０は、現在時刻を計時する時計手段を有しており、調色制御スケジュール情報に基づいて、所定の時刻ごとに発光部１１０の調色制御を行う。
【００８８】
具体的には、制御部１２０は、調色制御スケジュール情報にしたがって、発光部１１０の照明光の光色が時刻に対応した相関色温度となるように発光部１１０を制御する。
【００８９】
本実施の形態では、図１１に示すように、制御部１２０は、午前中の所定時刻から午後３時付近までの第１の時間帯Ｔ１では、発光部１１０の照明光の光色が４０００Ｋ以上５０００Ｋの範囲で一定の相関色温度となるように発光部１１０を制御する。
【００９０】
具体的には、調色制御を開始する所定時刻は、午前８時であり、午前８時から午後３時付近までの第１の時間帯Ｔ１においては、発光部１１０から照射される照明光の光色を一定の４２００Ｋにしている。
【００９１】
このように、午前８時から午後３時付近までの第１の時間帯Ｔ１では、太陽光の色温度が高いので、発光部１１０から照射される照明光の色温度が低くなるように発光部１１０を制御している。
【００９２】
つまり、午前９時頃と午後３時頃とでは、太陽高度が同程度であるので、自然光の色温度も同程度であり、また、比較的に色温度も高い。そこで、この比較的に自然光の色温度が高い時間帯においては、低めの相関色温度の照明光をディスプレイ付近に照射させている。これにより、発光部１１０による照明光と自然光とによって、ディスプレイ付近の光色を、相関色温度が４６００ＫでＤｕｖが−４の色度点付近の光色にすることができる。
【００９３】
なお、本実施の形態において、第１の時間帯Ｔ１の制御開始時刻は、午前８時としているが、これに限らない。例えば、照明装置１００Ａをオフィスで使用する場合、制御開始時刻は、就業開始時刻（例えば午前９時）に設定することができる。
【００９４】
また、制御部１２０は、午後１５時付近から日没までの第２の時間帯Ｔ２では、発光部１１０の照明光の光色が５０００Ｋ以上５８００Ｋ以下の範囲で相関色温度が時間の経過に伴って上昇するように発光部１１０を制御する。
【００９５】
具体的には、午後１５時付近から日没までの第２の時間帯Ｔ２においては、発光部１１０から照射される照明光の光色を、時刻の経過とともに相関色温度が４２００Ｋから５６００Ｋに直線的に変化させている。
【００９６】
このように、午後３時から日没までの第２の時間帯Ｔ２では、太陽光の色温度が時刻の経過とともに徐々に低くなっていくので、発光部１１０から照射される照明光の色温度が徐々に高くなっていくように発光部１１０を制御している。
【００９７】
つまり、午後３時以降の夕方から日没までは、太陽高度の降下により自然光の色温度が低下していく。そこで、この比較的に自然光の色温度が低くなっていく時間帯においては、照明光の相関色温度が上昇するように照明光をディスプレイ付近に照射させている。これにより、発光部１１０による照明光と自然光とによって、ディスプレイ付近の光色を、相関色温度が４６００ＫでＤｕｖが−４の色度点付近の光色にすることができる。
【００９８】
また、制御部１２０は、日没から午後の所定時刻までの第３の時間帯Ｔ３では、発光部１１０の照明光の光色が４０００Ｋ以上５０００Ｋ以下の範囲で一定の光色となるように発光部１１０を制御する。
【００９９】
具体的には、日没から午後８時までの第３の時間帯Ｔ３においては、発光部１１０から照射される照明光の光色を、発光部１１０から照射される照明光の光色を一定の４６００Ｋにしている。
【０１００】
このように、日没以降の第３の時間帯Ｔ３では、窓から太陽光が差し込まないので、発光部１１０から照射される照明光の色温度がディスプレイの文字の視認性に適したものとなるように発光部１１０を制御している。
【０１０１】
つまり、日没以降においては、太陽光の影響を考慮しなくてもよく、照明光のみを考慮してディスプレイの文字の視認性に対して最適な光色となるように照明光の相関色温度を設定すればよい。具体的には、ディスプレイ付近の光色を相関色温度が４６００ＫでＤｕｖが−４の色度点付近の光色にすればよい。
【０１０２】
このように、制御部１２０は、調色制御スケジュール情報によって設定された時刻において、予め決められた調色制御を実行するタイマー制御を行うものである。この場合、日没及び日出の時刻情報がインプットされたタイマーを用いて発光部１１０を調色制御してもよい。また、日没の設定時刻は、例えば一週間ごとに手動で設定してもよいし、インターネット等から取得することで自動に設定されてもよい。
【０１０３】
また、制御部１２０が調色制御スケジュール情報にしたがって発光部１１０の調色制御を行うにあたり、発光部１１０を構成する各ＬＥＤ素子に供給する電流と相関色温度とが対応付けられた出力テーブルが記憶部１５０に予め保持されているとよい。これにより、調色制御スケジュール情報に設定されている相関色温度に対応する電流値を各ＬＥＤ素子に電流を供給することで、発光部１１０を容易に調色制御することができる。
【０１０４】
なお、本実施の形態において、照明装置１００Ａの設置場所は、オフィスであったが、これに限らず、作業場等の仕事場であってもよい。
【０１０５】
以上のように、本実施の形態における照明装置１００Ａでは、時間帯の違いによる自然光（太陽光等）の色温度の変化に対応させて、自然光の色温度の変化の方向とは逆方向で発光部１１０の照明光を変化させてディスプレイに照射させている。
【０１０６】
つまり、上記実施の形態１のように、自然光の影響がなく照明光のみがディスプレイの文字の視認性に影響を与えるような光環境でディスプレイの文字を見る視作業を行う際は、常に、図９の４本の直線で囲まれる領域（ディスプレイ文字の高視認性範囲）内の光色となるように発光部１１０の照明光の光色を制御すればよい。
【０１０７】
一方、本実施の形態のように、自然光（太陽光）等の外光がディスプレイに当たるような場合は、時間帯によってディスプレイの文字の見え方が変わってしまう。そこで、本実施の形態では、時間帯の違いによる自然光の色温度の変化に対応させて発光部１１０の照明光を変化させている。
【０１０８】
具体的には、午前中の所定時刻から午後３時付近までの第１の時間帯Ｔ１では、発光部１１０の照明光の光色が４０００Ｋ以上５０００Ｋの範囲で一定の相関色温度となるように発光部１１０を制御している。また、午後３時付近から日没までの第２の時間帯Ｔ２では、発光部１１０の照明光の光色が５０００Ｋ以上５８００Ｋ以下の範囲で相関色温度が時間の経過に伴って上昇するように発光部１１０を制御している。また、日没から午後の所定時刻までの第３の時間帯Ｔ３では、発光部１１０の照明光の光色が４０００Ｋ以上５０００Ｋ以下の範囲で一定の光色となるように発光部１１０を制御している。
【０１０９】
これにより、時間帯によって色温度が変化する外光（自然光等）がディスプレイに当たるような場合であっても、時間帯に依らずディスプレイの文字の視認性を向上させることができる。特に、ディスプレイの表示設定が初期状態のままであっても、ディスプレイの文字の視認性を容易に向上させることができる。
【０１１０】
なお、本実施の形態では、調色制御スケジュール情報は、操作部２００によって作成したが、これに限らない。例えば、調色制御スケジュール情報は、操作部２００以外の他の端末等によって作成されたものであってもよいし、予め照明装置１００Ａの記憶部１５０に記憶されたものであってもよい。この場合、記憶部１５０に記憶された調色制御スケジュールは、操作部２００によって変更することができる。
【０１１１】
（実施の形態２の変形例１）
次に、実施の形態２の変形例１について、図１２を用いて説明する。図１２は、実施の形態２の変形例１に係る照明制御システム１Ｂの機能構成を示す図である。
【０１１２】
図１２に示すように、本変形例における照明制御システム１Ｂは、上記実施の形態２における照明制御システム１Ａに対して、照明装置１００Ｂの構成が異なる。すなわち、本変形例における照明装置１００Ｂは、照度検知部１６０をさらに有する点で、上記実施の形態２における照明装置１００Ａと異なる。
【０１１３】
各照明装置１００Ｂの照度検知部１６０は、自然光（太陽光等）等の外光が入射する所定空間の照度を検知する。例えば、照度検知部１６０は、オフィス等において予め決められた領域（例えば、各照明装置１００Ｂの照明範囲で使用されるディスプレイ付近に存在する机上面）における水平面照度を検出する。照度検知部１６０は、検知した照度を制御部１２０に出力する。
【０１１４】
そして、本実施の形態では、照度検知部１６０の検知結果を用いて、互いに異なる場所に設置された複数の照明装置１００Ｂの各々が照射する照明光の水平面照度が一致するように、各照明装置１００Ｂの発光部１１０を制御している。
【０１１５】
例えば、複数の照明装置１００Ｂにおいて、一の場所に設置された照明装置１００Ｂを第１の照明装置１００ａとし、他の場所に設置された照明装置１００Ｂを第２の照明装置１００ｂとすると、第１の照明装置１００ａの制御部１２０は、第１の照明装置１００ａの照度検知部１６０が検知した所定空間の照度と第２の照明装置１００ｂの照度検知部１６０が検知した所定空間の照度とが一致するように、第１の照明装置１００ａの発光部１１０から照射される照明光の出力を変更する。なお、第１の照明装置１００ａの照度検知部１６０の検知結果と第２の照明装置１００ｂの照度検知部１６０の検知結果とは、互いの制御部１２０に送受信することができる。
【０１１６】
これにより、所定空間内に外光が入射することで、異なる場所に設置されたディスプレイ付近の水平面照度が異なる場合であっても、ディスプレイの位置によらず、文字の視認性を向上させることができる。
【０１１７】
例えば、窓から近い位置に設置されたディスプレイ付近の水平面照度は、窓から離れた位置に設置されたディスプレイ付近の水平面照度と比べて高くなるが、この場合、窓から近い位置のディスプレイ付近に設置された照明装置１００Ｂの発光部１１０の光出力を低下させる。これにより、窓から近い位置のディスプレイ付近に設置された照明装置１００Ｂの照明光による水平面照度と、窓から遠い位置のディスプレイ付近に設置された照明装置１００Ｂの照明光による水平面照度とを一致させることができる。したがって、窓に近い位置に設置されたディスプレイに対しても、文字の視認性を向上させることができる。
【０１１８】
なお、本変形例において、照度検知部１６０は、照明装置１００Ｂに付随していたが、これに限らず、照明装置１００Ｂと独立していてもよい。例えば、照度検知部１６０は、ディスプレイの上部等に設置されていてもよい。
【０１１９】
（実施の形態２の変形例２）
次に、実施の形態２の変形例２について、図１３を用いて説明する。図１３は、実施の形態２の変形例２に係る照明制御システム１Ｃの機能構成を示す図である。
【０１２０】
図１３に示すように、本変形例における照明制御システム１Ｃは、上記実施の形態２における照明制御システム１Ａに対して、照明装置１００Ｃの構成が異なる。すなわち、本変形例における照明装置１００Ｃは、光色検知部１７０をさらに有する点で、上記実施の形態２における照明装置１００Ａと異なる。
【０１２１】
各光色検知部１７０は、自然光（太陽光等）等の外光が入射する所定空間の光色を検知する。例えば、光色検知部１７０は、オフィス等において予め決められた領域（例えば、各照明装置１００Ｃの照明範囲で使用されるディスプレイ付近に存在する机上面）における光色（相関色温度、Ｄｕｖ）を検出する。光色検知部１７０は、検知した光色を制御部１２０に出力する。
【０１２２】
制御部１２０は、光色検知部１７０が検知した所定空間の光色に基づいて、発光部１１０の照明光が所定の調色制御スケジュール情報に従った光色となるように発光部１１０を制御する。
【０１２３】
例えば、制御部１２０は、光色検知部１７０の検知結果が、図１１に示すような調色制御スケジュール情報に設定された光色の照明光が照射されるように発光部１１０を制御する。
【０１２４】
これにより、所定空間内に外光が入射している場合であっても、発光部１１０の照明光の光色を変化させることによって、調色制御スケジュール情報にしたがった光色に容易に調整することができる。
【０１２５】
なお、本変形例において、光色検知部１７０は、照明装置１００Ｃに付随していたが、これに限らず、照明装置１００Ｃと独立していてもよい。例えば、光色検知部１７０は、ディスプレイの上部等に設置されていてもよい。
【０１２６】
（変形例）
上記実施の形態１、２及びその変形例では、ＬＥＤ素子１１２として、相関色温度が６５００Ｋの白色光を発する白色ＬＥＤ光源と、相関色温度が２７００Ｋの白色光を発する白色ＬＥＤ光源との２種類の白色ＬＥＤ光源を用いて、上記光特性を有する第１照明光を実現したが、これに限らない。以下、上記光特性を有する第１照明光を実現するためのＬＥＤ素子１１２の他の態様について説明する。
【０１２７】
（変形例１）
本変形例では、ＬＥＤ素子１１２として、相関色温度が５０００Ｋ以上７２００Ｋ以下の白色光を発する白色ＬＥＤ光源と、主たるピーク波長が６００ｎｍ以上６５０ｎｍ以下の範囲にある赤色光を発する赤色ＬＥＤ光源とを用いて、上記光特性を有する第１照明光を実現している。
【０１２８】
この場合、上記実施の形態１、２及びその変形例において、第１ＬＥＤ素子１１２ａを白色ＬＥＤ光源とし、第２ＬＥＤ素子１１２ｂを赤色ＬＥＤ光源とすればよい。このとき、第１ＬＥＤ素子１１２ａ（白色ＬＥＤ光源）は、図１４に示される分光分布ａの光を発し、第２ＬＥＤ素子１１２ｂ（赤色ＬＥＤ光源）は、図１４で示される分光分布ｂの光を発し、全ての第１ＬＥＤ素子１１２ａと全ての第２ＬＥＤ素子１１２ｂとが発光すると、発光部１１０は、図１４に示される分光分布ｍｉｘの光を発する。
【０１２９】
このように、相関色温度が５０００Ｋ以上の既存の白色ＬＥＤ光源と赤色ＬＥＤ光源とを組み合わせて上記第１照明光を実現することによって、ディスプレイの文字の視認性が向上することに加えて、既存光と第１照明光との切り替えを効率的に行うことができる。なお、第２ＬＥＤ素子１１２ｂとしては、好ましくは、主たるピーク波長が６２０ｎｍ以上６４０ｎｍ以下の範囲にある赤色ＬＥＤ光源を用いるとよい。
【０１３０】
（変形例２）
本変形例では、ＬＥＤ素子１１２として、相関色温度が５０００Ｋ以上７２００Ｋ以下の白色光を発する白色ＬＥＤ光源と、相関色温度が２７００Ｋ以上３８００Ｋ以下の白色光を発する白色ＬＥＤ光源と、主たるピーク波長が６００ｎｍ以上６５０ｎｍ以下の範囲にある赤色光を発する赤色ＬＥＤ光源とを用いて、上記光特性を有する第１照明光を実現している。
【０１３１】
この場合、図１５に示すように、複数のＬＥＤ素子１１２は、高色温度（例えば６５００Ｋ）の白色ＬＥＤ光源である第１ＬＥＤ素子１１２ａと、低色温度（例えば２７００Ｋ）の白色ＬＥＤ光源である第２ＬＥＤ素子１１２ｂと、赤色ＬＥＤ光源である第３ＬＥＤ素子１１２ｃとによって構成すればよい。なお、本変形例において、第１ＬＥＤ素子１１２ａ、第２ＬＥＤ素子１１２ｂ及び第３ＬＥＤ素子１１２ｃは１つずつ交互に配置されているが、第１ＬＥＤ素子１１２ａ、第２ＬＥＤ素子１１２ｂ及び第３ＬＥＤ素子１１２ｃの並び順及び個数は、これに限るものではない。
【０１３２】
このとき、第１ＬＥＤ素子１１２ａ（白色ＬＥＤ光源）及び第２ＬＥＤ素子１１２ｂ（白色ＬＥＤ光源）は、図１６で示される分光分布ａｂの光を発し、第３ＬＥＤ素子１１２ｃ（赤色ＬＥＤ光源）は、図１６で示される分光分布ｃの光を発し、全ての第１ＬＥＤ素子１１２ａと全ての第２ＬＥＤ素子１１２ｂと全ての第３ＬＥＤ素子１１２ｃが発光すると、発光部１１０は、図１６に示される分光分布ｍｉｘの光を発する。
【０１３３】
このように、上記変形例１では、色温度が５０００Ｋ近傍で色偏差Ｄｕｖが−４程度であったが、本変形例のように、２種類の白色ＬＥＤ光源と赤色ＬＥＤ光源とを組み合わせて上記第１照明光を実現することによって、色温度が５０００Ｋ近傍で色偏差Ｄｕｖを−６程度にすることができる。これにより、白さ感を高くしてさらに高コントラストにできる第１照明光を実現することができる。したがって、ディスプレイの文字の視認性が一層向上する。
【０１３４】
（変形例３）
本変形例では、ＬＥＤ素子１１２として、相関色温度が５０００Ｋ以上７２００Ｋ以下の白色光を発する白色ＬＥＤ光源と、主たるピーク波長が６００ｎｍ以上６４０ｎｍ以下の範囲にある赤色光を発する赤色ＬＥＤ光源と、主たるピーク波長が４８０ｎｍ５００ｎｍ以下の範囲にある緑色光を発する緑色ＬＥＤ光源とを用いて、上記光特性を有する第１照明光を実現している。
【０１３５】
この場合、図１７に示すように、複数のＬＥＤ素子１１２は、白色ＬＥＤ光源である第１ＬＥＤ素子１１２ａと、赤色ＬＥＤ光源である第２ＬＥＤ素子１１２ｂと、緑色ＬＥＤ光源である第３ＬＥＤ素子１１２ｃとによって構成すればよい。なお、本変形例において、第１ＬＥＤ素子１１２ａ、第２ＬＥＤ素子１１２ｂ及び第３ＬＥＤ素子１１２ｃは１つずつ交互に配置されているが、第１ＬＥＤ素子１１２ａ、第２ＬＥＤ素子１１２ｂ及び第３ＬＥＤ素子１１２ｃの並び順及び個数は、これに限るものではない。
【０１３６】
このとき、第１ＬＥＤ素子１１２ａ（白色ＬＥＤ光源）は、図１８で示される分光分布ａの光を発し、第２ＬＥＤ素子１１２ｂ（赤色ＬＥＤ光源）及び第３ＬＥＤ素子１１２ｃは、図１８で示される分光分布ｂｃの光を発し、全ての第１ＬＥＤ素子１１２ａと全ての第２ＬＥＤ素子１１２ｂと全ての第３ＬＥＤ素子１１２ｃが発光すると、発光部１１０は、図１８に示される分光分布ｍｉｘの光を発する。
【０１３７】
本変形例のように、白色ＬＥＤ光源に加えて、略補色関係にある赤色ＬＥＤ光源と緑色ＬＥＤ光源とを追加して上記第１照明光を実現することによって、ディスプレイの文字の視認性が向上することに加えて、色ムラが目立ちやすい発光面（例えば透光カバー１４０の表面）での色ムラを低減することができる。
【０１３８】
この場合、図１７に示すように、赤色ＬＥＤ光源と緑色ＬＥＤ光源とが近接して配置されているとよい。これにより、さらに色ムラを低減することができる。
【０１３９】
（その他の変形例）
以上、本発明に係る照明装置について、実施の形態に基づいて説明したが、本発明は、上記実施の形態に限定されるものではない。
【０１４０】
例えば、上記実施の形態１、２及びその変形例において、照明装置は、天井等の造営材に常設されたものとしたが、これに限るものではなく、スタンドライト等のように移動可能なものであってもよい。
【０１４１】
また、上記実施の形態１、２及びその変形例において、発光部１１０は、ＳＭＤタイプのＬＥＤモジュールであったが、これに限らない。例えば、発光部１１０は、ＣＯＢ（Ｃｈｉｐ  Ｏｎ  Ｂｏａｒｄ）タイプのＬＥＤモジュールであってもよい。この場合、発光部１１０は、基板１１１と、ＬＥＤ素子１１２として基板１１１に直接実装された１つ以上のＬＥＤチップ（ベアチップ）と、ＬＥＤチップを封止する蛍光体含有樹脂等の封止部材とによって構成される。
【０１４２】
その他、上記実施の形態１、２及びその変形例に対して当業者が思いつく各種変形を施して得られる形態、又は、本発明の趣旨を逸脱しない範囲で上記実施の形態１、２及びその変形例における構成要素及び機能を任意に組み合わせることで実現される形態も本発明に含まれる。
【符号の説明】
【０１４３】
１、１Ａ、１Ｂ、１Ｃ  照明制御システム
１００、１００Ａ、１００Ｂ、１００Ｃ  照明装置
１０１  光源ユニット
１０２  器具本体
１０２ａ  開口部
１１０  発光部
１１１  基板
１１２  ＬＥＤ素子
１１２ａ  第１ＬＥＤ素子
１１２ｂ  第２ＬＥＤ素子
１１２ｃ  第３ＬＥＤ素子
１２０  制御部
１３０  基台
１４０  透光カバー
１５０  記憶部
１６０  照度検知部
１７０  光色検知部
【図１】
2019029109.tif 000003
【図２】
2019029109.tif 000004
【図３】
2019029109.tif 000005
【図４】
2019029109.tif 000006
【図５】
2019029109.tif 000007
【図６】
2019029109.tif 000008
【図７】
2019029109.tif 000009
【図８】
2019029109.tif 000010
【図９】
2019029109.tif 000011
【図１０】
2019029109.tif 000012
【図１１】
2019029109.tif 000013
【図１２】
2019029109.tif 000014
【図１３】
2019029109.tif 000015
【図１４】
2019029109.tif 000016
【図１５】
2019029109.tif 000017
【図１６】
2019029109.tif 000018
【図１７】
2019029109.tif 000019
【図１８】
2019029109.tif 000020